(57)【要約】  ウェブサイトを通じて自身の音楽を作る（作曲、編曲及び演奏等）方法及びシステムに係り、あらゆる種類の音楽をパターン化した後、ユーザが選択するジャンルによって細部単位でパターンを推薦し、ユーザがこれを選択／組み立てる方式で音楽についての専門的な知識のない一般ユーザも容易に自身の音楽を制作することができるシステムを提供する。本システムは、複数の音楽を細部単位でパターン化した音楽データを保存した音楽データベースと複数の歌詞及び各種テキストをパターン化した歌詞データを保存した歌詞データベースとで構成されたＤＢサーバと、音楽及び歌詞データを音楽ファイルリアルタイムプレイヤに提供するためのユーザＰＣ、ウェブサイト及びユーザがＤＢサーバのパターン化された音楽データ及び歌詞データのうちユーザ選択によって音響学／和声学的に組み合わせて音楽に適したファイルを制御する音楽パターン自動制御サーバと、を含む。【選択図】図１
2008541149.tif 000002
【特許請求の範囲】
【請求項１】
インターネットを通した音楽製作システムであって、
複数の音楽をジャンル、アーティスト、時代別の曲構造、楽器、奏法、バリエーション、コード、ミックス、及びＢＰＭ別にパターン化した音楽データを保存する音楽データベースと複数の歌詞及び各種テキストをパターン化した歌詞データを保存する歌詞データベースとを含むＤＢサーバと、
ユーザコンピュータと前記ＤＢサーバとの通信を管理するウェブサーバと、
ユーザが前記ＤＢサーバのパターン化された前記音楽データ及び歌詞データをユーザ選択項目の選択によって音響学／和声学的に前記パターン化されたデータを組み合わせて音楽に適したファイルを制御する音楽パターン自動制御サーバと、を含むことを特徴とする音楽製作システム。
【請求項２】
前記ユーザ選択項目は、少なくとも音楽のジャンル、曲の構造、リズム、楽器、奏法、バリエーション、コード、及びテンポに分類されることを特徴とする請求項１に記載の音楽製作システム。
【請求項３】
複数のユーザコンピュータと音楽製作システムとがインターネットで繋がれてユーザがインターネットを用いて音楽を製作する方法であって、
データベースに音楽のジャンル、アーティスト、曲の構造、リズム、楽器、奏法、バリエーション、ミックス情報、アーティスト情報、ＢＰＭ、及びコード別に区分して音楽をパターン化し、各種テキストをジャンル別及びリズム別にパターン化して保存する段階と、
パターン化された音楽及び歌詞データが保存された前記データベースからユーザにユーザ選択項目を選択するようにして、選択された項目に符合する音楽の伴奏及び基本トラックを生成させて曲を聞かせる段階と、
曲の構造、キー、テンポからユーザが変更しようとする部分を選択すれば、その部分に適したパターンを前記データベースから自動検索して提示し、該提示されたパターンをユーザが選択すれば、曲全体が修正される段階と、
トラック別に奏法、音色を修正するためにユーザが変更しようとする部分を選択して、その部分に適したパターンを前記データベースから自動検索して提示し、該提示されたパターンをユーザが選択すれば、トラック全体が修正される段階と、
節別のコードを修正するためにユーザが変更しようとする部分を選択すれば、その部分に適したパターンを前記データベースから自動検索して提示し、該提示されたパターンをユーザが選択すれば、節の全体が修正される段階と、
各トラックの節別の奏法バリエーションを修正するためにユーザが変更しようとする部分を選択すれば、その部分に適したパターンを前記データベースから自動検索して提示し、該提示されたパターンをユーザが選択すれば、該当する節が修正される段階と、
前記ユーザ選択項目に符合して前記データベースから提示されるパターン化された歌詞データを参考にして作詞をする段階と、
完成された伴奏と歌詞とを使って前記ユーザコンピュータに録音をする段階と、を含むことを特徴とする音楽製作方法。
【請求項４】
ユーザが高級機能を選択して、前記データベースから自動で提示される規定のパターン化データをユーザが任意に修正する段階をさらに含むことを特徴とする請求項３に記載の音楽製作方法。
【請求項５】
前記ユーザ選択項目は、少なくとも音楽のジャンル、曲の構造、リズム、楽器、奏法、バリエーション、コード、及びテンポを提示することを特徴とする請求項３に記載の音楽製作方法。
【発明の詳細な説明】
【技術分野】
【０００１】
本発明は、ウェブサイト上での作曲、編曲及び演奏のためのシステム及び方法に係り、あらゆる種類の音楽で音楽的パターンを生成させ、一般のインターネットユーザが選択するジャンルによって理想的なパターンを推薦して、音楽についての専門的な知識のない一般ユーザもこのパターンを選択／組み立てて容易に自身の音楽を製作することができるシステムに関する。
【背景技術】
【０００２】
従来の音楽製作方法としては、作曲家が、自身が演奏することができる楽器を使って別途の五線紙に内容を作成するか、コンピュータプログラムを通して入力し、上記の作業を行なった後、五線紙上に記録した内容をまた演奏しながら、修正作業を行っている。また、多様な種類別楽器のリズムで製作された別途のサンプルＣＤを使って音楽の作曲及び編曲を行っている。しかし、上記の作業は、音楽的専門性を有していない一般人には非常に難しい作業であるために専門的な作曲家及び編曲者が限定的に行い、また、このような音楽製作作業は多くの不便さ及び手間がかかり、コスト及び作業時間も多く必要となる。
【発明の開示】
【発明が解決しようとする課題】
【０００３】
本発明は、上記問題点を解消するためのものであって、本発明の目的は、多様なジャンルの音楽をパターン化した後、データベースに保存し、このパターン化されたデータを各種和声学的／音響学的理論によって組み合わせることにある。
音楽についての知識のない一般ユーザも別途の手間なしに本発明によって推薦されるパターンを組み立てて容易に高品質の音楽を作曲、編曲及び演奏することができ、また各種主題と用途別とに厳選された歌詞材料が体系的に分類されてこれを参考にして作詞をすることができる。
従って、本発明を使えば、一般ユーザも上記作業を専門家に依頼せずに、自身のみの趣向に合う独特のアルバムを製作することができる。また、自動作曲機能を提供する初心者モードから、自由に修正できる高級機能を提供する専門家モードに至るまでユーザ等級別に差別化されたサービスを提供する。
【課題を解決するための手段】
【０００４】
上記目的を果たすための本発明のシステムは、複数の音楽をジャンル、アーティスト及び時代別に細部単位でパターン化した音楽データを保存した音楽データベースと複数の歌詞及び各種テキストをパターン化した歌詞データを保存した歌詞データベースとで構成されたＤＢサーバと、前記音楽及び歌詞データを音楽ファイルリアルタイムプレイヤを通してダウンロードするためのユーザＰＣと、ウェブサイト及び各種ユーザ情報を保存して前記ユーザＰＣと前記ＤＢサーバとの通信を管理するウェブサーバと、ユーザが前記ＤＢサーバのパターン化された音楽データ及び歌詞データのうちユーザ選択によって音響学及び和声学的に組み合わせて音楽に適したファイルを制御する音楽パターン自動制御サーバと、で構成される。
【発明の効果】
【０００５】
本発明によれば、作曲及び編曲は、音楽的知識を有した者のみができた従来の音楽製作方法を、音楽に興味のある一般人も容易に所望の音楽を製作することができるという特徴がある。
また、インターネットを用いて自身のＰＣで音楽製作ができるので、時間及び空間の制約を受けずに、製作時必要となるコストもかなり節減することができるという長所がある。
【発明を実施するための最良の形態】
【０００６】
以下、添付した図面を参照して、本発明の実施形態を詳しく説明する。
【０００７】
図１は、本発明のパターン化されたデータを用いて音楽を製作及びサービスするための全体的なシステム構成図である。本発明による音楽製作システムは、ウェブサーバ１００、ＤＢサーバ１１０、音楽パターン自動制御サーバ１３０、課金・認証サーバ１４０及びユーザＰＣ１２０で構成される。
【０００８】
ＤＢサーバ１１０には、複数種類の音楽を細部単位でパターン化してユーザに提供するパターンデータを保存する音楽データベース１１１、歌詞及び各種テキストをパターン化して保存する歌詞データベース１１２、及び音楽に関する各種情報がパターン化されて保存される。
【０００９】
ユーザＰＣ１２０は、ユーザが所望する情報を入力して自身が作った音楽を聞くことができるクライアントマネージャー１２１、ユーザが手動でコード修正及び曲構造修正などの高級機能を実施できるようにミディ楽器の入力で作動するソフトウェア楽器であるクライアント楽器１２２、及びユーザの音声やクライアント楽器以外の楽器音を録音するクライアント録音器１２３で構成されており、ユーザＰＣ１２０は、ＤＢサーバに保存されたパターン化されたデータを、ユーザＰＣ１２０にインストールされるアプリケーションである音楽ファイルリアルタイムプレイヤを通してダウンロードする。
【００１０】
ユーザＰＣ１２０とＤＢサーバ１１０との通信を担うウェブサーバ１００には、ユーザ情報とウェブサイト資料及びユーザが作った音楽データファイルとが保存され、ユーザから音楽要請を受ければ該当する音楽ファイルをＤＢサーバ１１０からユーザＰＣ１２０へ伝送するように指示する。
【００１１】
音楽パターン自動制御サーバ１３０は、和声学、音響学及びその作業で使われる各種有名アレンジの因果関係に基づくパターン化アルゴリズムを使う人工知能音楽パターン自動提示システムで構成され、ユーザＰＣ１２０で製作される音楽に適切なパターン化データを伝送する。
【００１２】
また、課金・認証サーバ１４０は、ユーザＰＣ１１０とウェブサーバ１００との通信時、ウェブサーバでユーザが要請する各種サービス及びユーザが製作した音楽を、インターネット上のホームページにリンク、又はユーザＰＣ１２０にダウンロードする場合、決済を行う。
【００１３】
図２は、本発明のパターン化データを保存するためのデータベース構成図である。
【００１４】
スタイル番号２１０に該当するデータは、ユーザが製作しようとする曲のジャンル（スタイル）として、大カテゴリー、中カテゴリー、及び小カテゴリーに分類される。大カテゴリーとしては、バラード、ロックバラード、Ｒ＆Ｂバラード、ハウスダンス、ラテンダンス、海辺ダンス、トランス、ヒップホップ、テクノダンス、ヘビーメタル、及びスラッシュメタルなどに分類され、中カテゴリーとしては、鍵盤Ｒ＆Ｂバラード、ピアノバラードなどにそれぞれ分類され、小カテゴリーは、バリエーションで類似した雰囲気の曲を変形する形態に分類されてそれぞれの番号が指定される。
【００１５】
類似アーティスト２２０は、アーティスト別に番号が指定されて保存され（例えば、キムボムス−１、チョソンモ−２、ラブホリック−３・・・）、楽器種類２３０は、大カテゴリー及び小カテゴリーに区分され、大カテゴリーとして、ドラム、パーカッション、効果音、鍵盤、オルガン、ギター、ストリング、リード、シンセサイザーなどに楽器を分類し、小カテゴリーは、分類された楽器をさらに細分化するが、例えば、パーカッション−８０８−ドラムに分類されて番号が指定されて保存される。
【００１６】
トラック種類２４０は、それぞれのトラックに楽器及び効果音（１−ドラム／パーカッション、２−ベース、３−鍵盤、・・・、９−効果音、１０−ラップ、１１−ボーカル・・・）が指定される。
【００１７】
また、ＢＰＭ２５０は、分当たりビート速度（Ｂｅａｔｓ  ｐｅｒ  ｍｉｎｕｔｅ）として曲全体の速度を分類することができる。キー２６０は、曲全体のキーを指定できるように分類され、コード２７０は、それぞれの音楽パターンデータのコード進行別に区分されて保存される。
【００１８】
同一の楽器でも製造会社などによって若干異なる特徴があるが、楽器情報２３１は、このような楽器の特徴的な情報を分類し、ミックス情報２８０は、それぞれのパターンデータが有するパラメータ値を保存する。
【００１９】
音楽ファイル２９０は、例えば、ｗａｖｅ、ｍｉｄｉ、ｒｍ、ＭＰ３、ＭＰ４、ｖｆｇなどのように従来使われている形態を保存することができ、別途に適切な音楽変換プログラムを使って変換された形態を使っても良い。
【００２０】
このように構成された本発明を利用した音楽製作過程を説明すれば、次のようである。
【００２１】
図３は、本発明のシステムを用いて音楽を製作する方法のフローチャートである。
まず、ユーザは、自身が製作する音楽のジャンル（スタイル）を選択する（段階Ｓ１）。これは、図２のデータベースに保存された各カテゴリー別に大分類−小分類−バリエーションの分類に対するスタイルの音楽が提示され、ユーザが段階Ｓ１で音楽を聞いた後、所望のスタイルを選択すれば、自動でランダムに音楽が完成し、基本トラックが生成され、一応の音楽（例えば、前奏−導入部−導入部反復−連結部−クライマックス−間奏−連結部−クライマックス−クライマックス反復−後奏）が完成する。大分類には、一般的にジャンルが該当するが、より細分化されたジャンルを含み、小分類では、大分類を細密に分離して、例えば、特定アーティストの特定曲雰囲気を主にして分類されている。バリエーションは、類似した雰囲気の曲を変形する形態になっている。従って、これらの細分化されたスタイルによってユーザはスタイル選択のみでも作曲の相当部分を完成することができる。
【００２２】
段階Ｓ２では、完成された伴奏を全体的に聞いた後、修正しようとすれば段階Ｓ３に移り、修正を所望しなければ段階Ｓ５に進む。
【００２３】
段階Ｓ３では、曲の構造を選択する。例えば、バラード曲の場合の構造は、次のようである。前奏−導入部−導入部反復−連結部−クライマックス−間奏−連結部−クライマックス−クライマックス反復−後奏に各部分は１〜１６個の節に構成されており、一曲内には同一の部分が存在するので、ユーザが一曲を作曲する場合、実際作曲する部分は部分的である。このような構造を複数個提示するので、ユーザは所望の構造に曲を容易に修正することができる。このとき、作曲されている内容は変わらず、構造のみが変更されるので、ユーザは必要によって構造を修正することができる。また、スタイルごとにそれぞれ異なる構造リストを有しているので、幅広く構造を修正することができ、ここには、現在存在するすべての曲構造を含みうる。
【００２４】
段階Ｓ４では、曲のコードを修正する。コードは曲の基礎を構成する最も重要な要素であり、一節内でも多くの場合に１０回も超えるように変わるコード進行を一般ユーザが作曲をするには相当に難しい部分である。従って、本発明で、曲のコード進行は一般ユーザも行なえるようにスタイルの概念と構造の概念とを導入することによって、前記コード修正段階では、曲の構造から分けられた各構造塊に対してコード進行を修正する。同一の構造塊、すなわち、クライマックスのコードを修正すれば、その曲内に位置するクライマックス部分が同時に変更される（例えば、Ｃ−Ａｍ−Ｄｍ−Ｇ７→Ｃ−Ｃ／Ｂ−Ａｍ−Ａｍ／Ｇ−Ｆ−Ｇ７）。
【００２５】
段階Ｓ５は、完成された伴奏のトラックを修正するか否かを選択する。前記トラックを修正しようとすれば段階Ｓ６に進み、修正しないとすれば段階Ｓ１０に進む。
【００２６】
段階Ｓ６では、トラックの追加及び削除を行う。一曲は、多様な種類のトラックで構成されている。すなわち、ドラム、ベース、ピアノ、ストリング、ギターなどの楽器の種類で構成されている。従って、一スタイル内には多くの種類のトラックが備えられており、ここでユーザは所望のトラックを追加又は削除する。
【００２７】
段階Ｓ７では、トラック伴奏を修正する。同一のトラックの場合でも多様な奏法が存在するので、提示される多様な奏法の種類を選択する。例えば、ドラムトラックを修正する場合、多様なドラム演奏が提示されて所望の演奏を選択すれば、前記ドラムトラック全体（曲全体に亘って）が修正される。
【００２８】
段階Ｓ８でのトラック伴奏細部修正は、ユーザが各節の所望する部分をクリックすれば変更されうる音楽節のリストが提示されて、ユーザが所望する節に該当する演奏を選択することができる。
【００２９】
段階Ｓ９では、トラックの音色を修正することであって、例えば、同一のストリングトラックであるとしてもその音色は多様である。このとき、音色の要素には、楽器音色の変化だけではなくミキシング（楽器に各種効果を与えてサウンドを変化させること）のバリエーションも存在するので多様な音色が存在する。従って、曲全体の演奏は変更せずに、提示される楽器の音色を選択して多様なサウンドを作る。
【００３０】
このようにトラックを修正した後、段階Ｓ１０では、修正された曲を、高級機能を使って修正するかどうかを選択して、修正を所望するならば符号（Ａ）に進み、修正を所望しなければ段階Ｓ１４に進む。
【００３１】
段階Ｓ１１〜Ｓ１３は、専門的な音楽知識を有するか、別途の楽器を演奏して、今まで完成された音楽を修正するもので、次の図４で説明する。
【００３２】
段階Ｓ１４でのメロディー修正は、現在まで完成された伴奏と似合うメロディーを一節ずつ提示し、ユーザが所望するメロディーに組み合わせて一つの曲を完成する。
【００３３】
段階Ｓ１５では、図２の歌詞データベース１１２に保存されたパターン化された歌詞データであって、各種主題と用途別とに分類された歌詞材料が体系的に分類されて完成された曲のジャンル、リズム及びアーティストなどに分類されたパターンに符合してユーザに提示されてユーザはこの歌詞パターンデータを参考にして作詞を行う。
【００３４】
製作された伴奏及び歌詞を使って段階Ｓ１６では、ユーザのＰＣ１１０にマイクを通して歌を録音するか、様々な楽器や効果音などを録音することができる。
【００３５】
最終段階Ｓ１７では、各トラックのボリューム、パンニング（左／右／中のポジショニング）、トーン及び各種効果を調節し、全体ボリュームを調節してユーザが所望する音楽を完成する。
【００３６】
図４では、演奏が可能なユーザが高級機能を使って生成された曲を修正する方法について説明する。
【００３７】
段階Ｓ１１では、各種ミディエディター機能が内蔵されたユーザＰＣ１２０に別途のＵＳＢ鍵盤及び音源（楽器）を連結して作曲する方法であって、自動で提示される規定のパターン化データを使わずに、ユーザが直接演奏してレコーディングをする。
【００３８】
段階Ｓ１２は、曲構造の修正に対するもので、ユーザは段階Ｓ３で選択した曲構造を、ユーザが任意に節を追加及び削除して自由に構成する。例えば、前奏−導入部−ユーザ追加２節−連結部（ユーザ追加４節）のように修正することができる。
【００３９】
このように、段階Ｓ１３で節を再構成した後、図３の段階Ｓ４で自動提示される規定のコードに修正する方法を使わずに、自動で提示される規定の範囲を外れてユーザが所望するコードを自由に入力して曲を修正する。
【００４０】
以後の段階Ｓ１４〜Ｓ１８は、図３の説明と同一である。
【００４１】
図５は、図３の動作フローチャートを用いて音楽を製作するユーザインタフェースを表したものである。
【００４２】
ジャンル選択ボタン５０１をマウスでクリックしてジャンルを細分化したスタイルの曲を選択する。このとき、選択される曲は、ユーザが所望するジャンル（大分類）−特定アーティスト別ジャンル（小分類）−類似した雰囲気の曲変形（バリエーション）で、例えば、モダンロックバラード−ＯＯＯバラード−レーンバラードの細分化された形態であって、ユーザがスタイルを選択することのみで一応の曲が完成する。
【００４３】
構造ボタン５１１を押せば、該当スタイルで使用可能な構造リストが提示されてマウスオーバーすれば、音を聞くことができる。所望の構造を選択すれば、以前の作業内容は維持されながら曲の構造、すなわち、流れのみが変更される。従って、既に完成された曲でも多様な形態に編曲が可能であり、容易に曲を修正して作曲を行う重要な基になる（例えば、前奏−導入部−導入部反復−連結部−クライマックス−間奏−連結部−クライマックス−クライマックス反復−後奏）。
【００４４】
また、曲の所望する部分の上端でコード表示部分５１０をクリックすれば、その節が属した構造塊（クライマックス／前奏／間奏など）に該当するすべてのコード進行リストが提示されてマウスオーバーすれば、提示される音楽を聞くことができ、所望のコードを選択すれば、該当部分の全トラックが該当コードに変更される。
【００４５】
トラックボタン５０２をクリックすれば、ユーザがジャンル選択時に構成された楽器群（例えば、ドラム、パーカッション、ベース、鍵盤、ストリング、ラップ、効果音などで各トラックを構成する）以外に曲を成す楽器の種類を提示する。従って、ユーザは提示された楽器を選択し、トラックを追加又は削除し、各トラックの種類を選択する。このようにトラックの修正は、図３の段階Ｓ５〜Ｓ９で説明したように行うことができる。
【００４６】
各トラック５１２をクリックすれば、それぞれに該当するトラックの伴奏リストが提示され、マウスオーバーすれば聞くことができる。所望の伴奏を選択すれば、既存の選択された事項を変更せずに該当するトラックの伴奏が曲全体に亘って修正される。
【００４７】
音色ボタン５０３をクリックすれば、入れ替え可能な音色リストが出て所望の音色を選択すれば、該当トラック全体の音色が変更される。この場合、現在製作された音楽の他の要素は変更されない。
【００４８】
さらに、テンポボタン５０４及びキーボタン５０５を用いてユーザは曲の速さ及びコードを修正する。
【００４９】
メロディーボタン５０６をクリックすれば、ユーザが修正を所望する節のメロディーと似合うメロディーパターンが提示され、ユーザはメロディーパターンを節別に修正する。
【００５０】
各節の該当するスペース５０７をクリックすれば、トラック伴奏の細部の事項を修正することができる。このとき、各節のクリック時に提示されるリストにマウスオーバーして音を聞き、所望の項目を選択すれば、その該当する節のみを選択したパターンに変更される。
【００５１】
進行バー５０８は、音楽がプレーされた状態で、現在進行位置（節）、各節のコードとトラックとを表わすことによって、音楽の進行状態を容易にモニタリングできる。
【００５２】
また、ユーザが該当する部分をマウスオーバーし各ボタンをクリックすれば提示されたデータを聞くことができ、音楽がプレー中であったらプレー音が小さくなって同時にモニタリングが可能である。従って、ユーザは、全体的な調和を考慮して容易に修正することができる。
【００５３】
上記のように製作された音楽は、保存されていない状態であり、購買ボタン５０９をクリックして決済した後、インターネット上のホームページへのリンク、ユーザＰＣ１２０へのダウンロードなどを行うことができる。
【産業上の利用可能性】
【００５４】
本発明によれば、作曲及び編曲は、音楽的知識を有した者のみができた従来の音楽製作方法を、音楽に興味のある一般人も容易に所望の音楽を製作することができるという特徴がある。
また、インターネットを用いて自身のＰＣで音楽製作ができるので、時間及び空間の制約を受けずに、製作時必要となるコストもかなり節減できるという長所がある。
本発明は、その構成の範囲内で多様な変更及び改造が可能である。
【図面の簡単な説明】
【００５５】
【図１】本発明のシステム構成図である。
【図２】本発明のデータベースの一例である。
【図３】本発明の音楽製作方法に関するフローチャートである。
【図４】図３で高級機能を使った場合のフローチャートである。
【図５】本発明の音楽製作を表わすユーザインタフェースである。
【符号の説明】
【００５６】
１００    ウェブサーバ
１１０    ＤＢサーバ
１１１    音楽データベース
１１２    歌詞データベース
１２０    ユーザＰＣ
１２１    クライアントマネージャー
１２２    クライアント楽器
１２３    クライアント録音器
１３０    音楽パターン自動制御サーバ
１４０    課金・認証サーバ
【図１】
2008541149.tif 000003
【図２】
2008541149.tif 000004
【図３】
2008541149.tif 000005
【図４】
2008541149.tif 000006
【図５】
2008541149.tif 000007
【国際調査報告】
2008541149.tif 000008
2008541149.tif 000009